(57)【特許請求の範囲】
【請求項１】
１単位分の写真フィルムの画像コマを読み取って得られた画像データを印画紙上に形成される画像としてのシミュレート画像コマのための画像データに変換し、このシミュレート画像コマを特定の多数コマ表示パターンでモニター画面に順次表示する画像処理手段と、前記１単位分の最初のシミュレート画像コマがモニター画面に表示されることを報知する報知デバイスが備えられていることを特徴とするシミュレート画像コマ表示装置。
【請求項２】
前記報知デバイスがブザーであることを特徴とする請求項１に記載のシミュレート画像コマ表示装置。
【請求項３】
前記報知デバイスが発光体であることを特徴とする請求項１に記載のシミュレート画像コマ表示装置。
【請求項４】
前記最初のシミュレート画像コマが表示されたモニター画面の自動画面表示替えまでの時間は、それ以外のシミュレート画像コマが表示されたモニター画面の自動画面表示替え時間より長く設定されていることを特徴とする請求項１〜３のいずれかに記載のシミュレート画像コマ表示装置。
【発明の詳細な説明】
【０００１】
【発明の属する技術分野】
本発明は、写真フィルムの画像コマを読み取って生成されたシミュレート画像コマの中から必要に応じて特定のシミュレート画像コマを選択するするために、シミュレート画像コマをモニターに表示するシミュレート画像コマ表示装置に関する。
【０００２】
【従来の技術】
写真焼付装置は写真フィルムの画像コマに対する基準位置を光学センサー等を用いて認識しているので、フィルム搬送路の途中に設けられた焼付開口部に焼付対象となる画像コマを搬送機構により位置決めし、必要に応じて補正される露光条件で必要枚数だけ印画紙に焼き付けられる。このため、焼付対象画像コマを選択し、露光条件の補正や焼付枚数を入力する必要がある。
【０００３】
画像コマを視覚的に確認しながら画像コマ選択作業を行うために、フィルム搬送路に設けられたスキャナーによって読み込まれた画像コマの画像信号を処理してシミュレート画像コマを生成し、このシミュレート画像コマをモニター上に表示し、同様にモニターに表示されたカーソルをカーソルキーを用いてシミュレート画像コマに合わせることで、所望の画像コマを選択することが、従来より知られている。これらの画像コマ選択作業は、１単位の写真フィルム毎行われるが、通常、この１単位としては、焼付注文を受けた１本の写真フィルム、つまり１オーダを用いる。オペレータが、１オーダ分の画像コマ選択作業、つまり露光補正や、焼付枚数を入力した後は、写真焼付装置は自動的にプリント作業を行うとともに、次のオーダ分のシミュレート画像コマのモニターの表示を準備するが、１オーダの画像コマ選択作業が終了した後、次のオーダ分のシミュレート画像コマのモニターの表示まで時間がある場合、オペレータはプリントの照合作業などの他の作業を行う。
【０００４】
【発明が解決しようとする課題】
しかしながら、他の作業に没頭してしまうと、次のオーダ分のシミュレート画像コマがモニターに表示されたままとなって、プリント工程に無駄な空き時間が発生したり、シミュレート画像コマが表示されたモニター画面が自動画面表示替えモードに設定されていた場合オペレータがチェックしていないにもかかわらず、次々にシミュレート画像コマ画面が送られてしまうといった不都合が生じる。また、オペレータがモニターに張り付いていたとしても、先のオーダと後のオーダのシミュレート画像コマ画面が連続して表示された場合、そのオーダ代わりに気が付かないことがあり、オーダ毎に統一感のある露光補正ができないといった不都合も生じる。
本発明の目的は、１単位（例えば１オーダ）毎の写真フィルムのシミュレート画像コマの画面替わりをオペレータが確実に認識できるようなシミュレート画像コマ表示装置を提供することである。
【０００５】
【課題を解決するための手段】
上記目的を達成するため、本発明によるシミュレート画像コマ表示装置は、１単位分の写真フィルムの画像コマを読み取って得られた画像データを印画紙上に形成される画像としてのシミュレート画像コマのための画像データに変換し、このシミュレート画像コマを特定の多数コマ表示パターンでモニター画面に順次表示する画像処理手段と、前記１単位分の最初のシミュレート画像コマがモニター画面に表示されることを報知する報知デバイスが備えている。
【０００６】
この構成では、１単位分、例えば１オーダ分のシミュレート画像コマをモニターに表示するにあたって最初にシミュレート画像コマがモニターに表示される時点で報知デバイスによる報知があるので、オペレータは確実に新たなオーダ分のシミュレート画像コマの表示が開始されたことを認識することができる。従って、自動画面送りモードにおいて、他の作業に気を取られて新しいオーダ分のシミュレート画像コマを見落とすような失敗は防止できるし、自動画面送りモードでない場合でも、新しいオーダ分のシミュレート画像コマがモニターに長時間表示されたままとなって、プリント工程に無駄な空き時間が発生するような失敗も防止できる。
【０００７】
報知デバイスの好適な実施形態として、まずブザーなどの音を出すものが提案されるが、これによれば、オペレータがモニターを見ることができない場所で別な作業をしていても、確実に新たなオーダ分のシミュレート画像コマの表示が開始されたことを認識することができる。さらに、別な実施形態としてランプなどの発光体を用いることもでき、この場合でも、広い範囲にわたって新たなオーダ分のシミュレート画像コマの表示の開始を報知することができる。
【０００８】
さらに本発明の好適な実施形態において、最初のシミュレート画像コマが表示されたモニター画面の自動画面表示替えまでの時間は、それ以外のシミュレート画像コマが表示されたモニター画面の自動画面表示替え時間より長く設定されているものがある。通常、オペレータはオーダ単位（一般にはフィルム１本分）で統一感のある露光補正を行うので、オーダ替わりを正しく認識することと、オーダ替わりに気持ちの切り替えが必要となるため、最初のシミュレート画像コマが表示されているモニター画面に対するチェックはそれ以降に表示されるシミュレート画像コマのチェックに比べて長い時間が必要となりがちである。このことを考慮するなら、前述した表示替え時間の設定は大きな利点である。
本発明によるその他の特徴及び利点は、以下図面を用いた実施の形態の説明により明らかになるだろう。
【０００９】
【発明の実施の形態】
本発明によるシミュレート画像コマ表示装置を組み込んだ写真処理装置１の全体が図１に示されており、この写真処理装置１内を各種処理にともなって搬送されるネガフィルム２（ここでは、ネガフィルムは、写真フィルム１本の長さをもつネガフィルム、数コマ単位でカットされたピースネガ、アドバンスフォトシステムに準じたカートリッジ付きネガフィルムなどの写真フィルムの総称として使用されている）と印画紙３の搬送経路が、図２に模式的に示されている。この写真処理装置１は、ネガフィルム供給部１０と、ネガフィルム２の画像コマをペーパーマガジン４から引き出された印画紙３に焼き付ける露光部２０と、露光部２０にて露光済の印画紙３を現像処理する現像処理部３０と、現像処理部３０にて現像処理された印画紙３を乾燥する乾燥部４０と、乾燥された印画紙３を所定長さにカットしてプリントとして排出するプリント排出部４１と、露光部２０で使用されたネガフィルム２をカットし、必要の場合ネガシートの挿入して、排出するネガフィルム排出部１４と、ネガフィルム排出部１４から搬入された１オーダのネガフィルム２とプリント排出部４１から搬入された１オーダのプリントを仕上がり品として照合組み合わせて、オペレータによる仕上がり品取り出し位置まで搬送するトレーコンベヤ装置７０とを備えている。
【００１０】
ネガフィルム供給部１０には、１００本までのネガフィルム２をスプライステープによってつなぎ合わせたものを巻き取っているネガリール１１が２本装填可能であり、このネガリール１１から引き出されたネガフィルム２に備えられているバーコードを読み取るバーコードリーダー１２や引き出されたネガフィルム２を１オーダ毎にカットするネガカッター１３が設けられている。露光部２０には、１オーダ単位でネガフィルム２が送り込まれ焼き付け作業が行われる。
【００１１】
露光部２０には、図３（図２と比べてネガフィルム２と印画紙３の配置が上下逆に配置されている）に示すように、フィルム搬送方向上流側に、読取用光源２１ａ、ミラートンネル２１ｂ及び撮像装置２１ｃからなるフィルム読取装置２１が設けられ、そのフィルム搬送方向下流側に、露光用光源２２ａ、調光フィルタ２２ｂ、ミラートンネル２２ｃ、ネガマスク２２ｄ、焼付レンズ２２ｅ及びシャッタ２２ｆからなる露光装置２２が設けられ、ネガフィルム供給部１０から露光部２０を通過してネガ排出部１４へネガフィルム２を搬送するローラ２３ａ及びそのローラ２３ａを駆動するモータ２３ｂが設けられている。
【００１２】
ローラ２３ａにて搬送されるネガフィルム２は、先ず、フィルム読取装置２１にて、その各コマ画像が読み取られ、その画像情報は写真焼付装置１全体を制御するコントローラ５に送られる。コントローラ５では、フィルム読取装置２１から受け取った画像情報に基づいて、そのネガフィルム２の画像コマを印画紙３に焼き付けるための露光条件を求めて、該当するネガフィルム２のコマがネガマスク２２ｄの位置に搬送されて来たときに、先だって求めた露光条件に基づいて調光フィルタ２２ｂ及びシャッタ２２ｆを制御し、印画紙３を露光する。さらに、コントローラ５は、フィルム読取装置２１にて読み取ったネガフィルム２の画像情報を処理して、求めた露光条件で印画紙３を焼き付けた場合に得られる画像コマのシミュレート画像コマをモニター５０に表示し、オペレータは、そのシミュレート画像コマをモニター５０で観察して、必要に応じてキーボード６０から露光条件を修正することができる。このキーボード６０は後で説明するキーボード制御ユニット８０を介してコントローラ５に接続されている。
【００１３】
又、露光部２０にて露光処理の終了したネガフィルム２は、露光装置２２のフィルム搬送方向下流側に配置されているネガ排出部１４に設けられたネガカッター２５によって６駒又は４駒毎に切断され、複数枚のネガピース２として、トレーコンベヤ装置７０へ送り出されるが、仕様によっては、図示されていないネガシート挿入装置によってネガピース２がネガシートに挿入され、このネガシートは折り畳まれた後トレーコンベヤ装置７０へ送り出される。なお、アドバンスフォトシステムに準じたネガフィルム２は、各種処理作業前にカートリッジから引き出され、処理後再びカートリッジに巻き戻されるので、露光処理後のネガフィルム２もカートリッジの収納された状態でトレーコンベヤ装置７０へ送り出される。
【００１４】
現像処理部３０には、その図示は省略されているが、複数の現像処理タンクが備えられており、露光部２０でネガフィルム２の画像コマが焼き付けられた後、印画紙３はローラ２４ａ及びローラ２４ａを駆動するモータ２４ｂによってコレクション印字部２６を通り、現像処理部３０の現像処理タンクを順次通過することで現像処理される。なお、現像処理部３０の手前には、ループ部の存在にもかかわらず露光部２０と現像処理部３０の間で連続して印画紙３を送り続けることができない事態が生じた場合に緊急避難的に印画紙３を切断するカッター２７が設けられている。
【００１５】
現像処理後の印画紙３は、乾燥部４０で乾燥された後、プリント排出部４１に送られ、ペーパーカッター４２によってカットされることにより仕上がりプリント３となり、横送りコンベヤ４３によってトレーコンベヤ装置７０へ送り出される。４４は、何らかのトラブルで印画紙３をトレーコンベヤ装置７０に送り出せない事態が生じた場合印画紙３を長尺のままで排出するための印画紙バイパス路である。
【００１６】
コントローラ５は、図４に示すように、シミュレート画像コマの表示と露光補正のために、中央制御部５ａと、画像情報記憶部５ｂと、露光条件演算部５ｃ、画像情報変換部５ｄと露光制御部５ｅとを備えている。画像情報記憶部５ｂは撮像装置２１ｃが読み取った画像データを記憶し、露光条件演算部５ｃは画像情報記憶部５ｂの画像データを利用して露光条件を求め、画像情報変換部５ｄは、画像情報記憶部５ｂから読み出した画像データを露光条件演算部５ｃが求めた露光条件に基づいてモニター５０に表示するための画像データに変換する。露光制御部５ｅは、露光条件演算部５ｃが求めた露光条件に基づいて露光装置２２の調光フィルタ２２ｂ及びシャッタ２２ｆの動作を制御し、印画紙３への露光を行う。これらの画像情報記憶部５ｂ、露光条件演算部５ｃ、画像情報変換部５ｄ、露光制御部５ｅ、そして後で説明するブザー８５の動作は、格納されているプログラムとキーボード６０による操作命令とに基づいて中央制御部５ａよって制御される。
【００１７】
画像情報変換部５ｄに登録されている、画像情報のネガポジ変換等の変換処理に供する種々のパラメータは、露光条件演算部５ｃで求めた露光条件にてフィルム２の画像コマを印画紙３に投影露光して印画紙３上に形成する画像と同等の画像、つまりシミュレート画像コマをモニター５０に後述する所定の多数コマ表示パターンで表示できるように設定されている。露光条件演算部５ｃでは、キーボード６０よりＹ（イエロー），Ｍ（マゼンタ），Ｃ（シアン）の各色の露光量の増減又は写真の濃度変化に相当する露光量の平均的な増減を命令されることで、露光条件の補正を行う。
【００１８】
画像情報記憶部５ｂには、撮像装置２１ｃにて１オーダ分のフィルム２の画像コマから読み取った画像データが記憶できるので、画像情報変換部５ｄが画像情報記憶部５ｂから複数の画像コマの画像データを読み出して変換処理し、複数のシミュレート画像コマを特定の多数コマ表示パターンで同時にモニター５０に表示することができる。つまり、１オーダ単位で写真フィルム２の画像コマを読み取って、そのシミュレート画像コマを順次モニター５０に表示する画像処理手段は、この実施の形態では、フィルム読取装置２１、中央制御部５ａ、画像情報記憶部５ｂ、露光条件演算部５ｃ、画像情報変換部５ｄから構成されており、ハードウエアとソフトウエアの結合体である  この写真焼付装置には、オペレータがモニター５０に表示されたシミュレート画像コマを見ながら露光条件等の補正の要否を判定するマニュアル処理モードと、オペレータによる判定なしで露光条件演算部５ｃで求められた露光条件で焼付処理を行うオート処理モードが備えられており、マニュアル処理モードが選択されると、モニター５０にシミュレート画像コマが特定の多数コマ表示パターンで表示される。その際、あるオーダの画像コマのための最初のシミュレート画像コマがモニター画面に表示される場合にはブザー８５によってオーダ替わりが報知される。さらに、このオーダ替わりの最初にモニター５０に表示されたシミュレート画像コマに対して補正等のコマンド入力をする必要がない場合第１所定時間の経過後、それ以降のシミュレート画像コマを表示したモニター画面に対しては第２所定時間の経過後、自動的に次のシミュレート画像コマが表示される。この２つの所定時間はタイマー５ｆによってチェックされている。ブザー８５とタイマー５ｆは中央制御部５ａによって管理されている。
【００１９】
モニター５０に複数のシミュレート画像コマを表示するため多数コマ表示パターンとしては、図５に示す４つのシミュレート画像コマ５１を表示する４コマ表示パターン、図６に示す６つのシミュレート画像コマ５１を表示する６コマ表示パターン、図７に示す２８個のシミュレート画像コマ５１を表示する２８コマ表示パターン、そして図面には示さないが４０個のシミュレート画像コマ５１を表示する４０コマ表示パターンなどがある。
【００２０】
４コマ表示パターンでは、フィルム２での配列順に４つのシミュレート画像コマ５１が順次表示され、各シミュレート画像コマ５１の下側に配置された各シミュレート画像コマ５１のためのデータ表示領域５２には、図８に示すように、フィルム読取装置２１の測光値から求めた平均濃度値を表示する濃度値表示欄５２ａと、そのコマのコマ番号を表示するコマ番号表示欄５２ｂと、Ｙ，Ｍ，Ｃの各色に対するキーボード６０から入力された補正値を表示する補正値表示欄５２ｃと、写真の濃度変化に相当する露光量の平均的な増減についてのキーボード６０から入力された補正指令を表示する濃度キー補正値表示欄５２ｄと、キーボードから入力されたそのコマ画像の焼付枚数を表示する焼付枚数表示欄５２ｅが配置されている。データ表示領域５２の周辺部には、Ｙ，Ｍ，Ｃ及び白色の案内用マーク５３が表示されている。さらに、この実施の形態では、そのシミュレート画像コマがキーボード６０よる命令の対象となっていることを示すカーソル５４がデータ表示領域５２の左上のコーナ部に表示されるようになっているが、このカーソル５４は、例えば対象となるシミュレート画像コマの一部又は前部を囲むような形状にすることなど、種々の形態にすることができる。
【００２１】
図５と図６の比較から明らかなように、６コマ表示パターンは、４コマ表示パターンに類似するため、その説明は省略するが、各シミュレート画像コマ５１の大きさはもちろん４コマ表示パターンに比べて縮小されている。
【００２２】
２８コマ表示パターンでは、フィルム２での配列順に２８個のシミュレート画像コマ５１が順次表示され、図７に示すように、各シミュレート画像コマ５１の下側に配置されているデータ表示領域５２には、コマ番号と、写真の濃度変化に相当する露光量の平均的な増減についての補正値が表示されているほか、カーソル５４が表示される。さらに、モニター５０の表示画面中における右下のコーナ部には、図８に示したようなデータ表示領域５２が配置されているが、もちろんこのデータ表示領域５２にはカーソル５４は表示されない。なお、モニター５０中のシミュレート画像コマ５１の内画像サイズが細長く見えるものは、パノラマサイズで撮影されたものである。
【００２３】
図９にキーボード６０の平面図が示されている。キーボード６０からの出力信号は、キーボードインターフェースとしてのキーボード制御ユニット８０を介して中央制御部５ａに送られる。キーボード６０には写真焼付装置１を操作するための種々のキーが設けられているが、ここでは本発明に関連するキーだけを説明する。
【００２４】
まず、キーボード６０の右側領域にテンキーを構成する”１”キー６１ａ、”２”キー６１ｂ、”３”キー６１ｃ、”４”キー６１ｄ、”５”キー６１ｅ、”６”キー６１ｆ、”７”キー６１ｇ、”８”キー６１ｈ、”９”キー６１ｉ、”０”キー６１ｊ、が一般的なテンキー配列で配置されている。さらに、”Ａ”キー６１ｋが”３”キー６１ｃの下側に配置されている。キーボード６０の中央上側領域には、”ＭＥＮＵ”キー６２と”ＳＨＩＦＴ”キー６３が配置されている。
【００２５】
多数コマ表示パターンの切り換えは、”ＭＥＮＵ”キー６２を押すことにより、モニター５０にメニュー画面を表示し、そこで所望の多数コマ表示パターンを選択することによって行われる。もちろんこのようなメニュー方式に変えて、キー入力によるコマンド方式を採用しても良い。
【００２６】
”１”キー６１ａから”６”キー６１ｆにはキータッチ面の左上に識別ディバイスとしてのＬＥＤ６４が装着されている。例えば、図５で示す４コマ表示パターンの場合”１”キー６１ａ、”２”キー６１ｂ、”４”キー６１ｄ、”５”キー６１ｅのＬＥＤ６４が点灯し、これらのキーだけがモニター５０に表示されている４つのシミュレート画像コマ５１を選択するために用いられることが示される。つまり、”１”キー６１ａを押すことにより図５の左下のシミュレート画像コマ５１にカーソル５４が移動し、そのシミュレート画像コマ５１が選択される。同様に、図５の右下のシミュレート画像コマ５１を選択するためには”２”キー６１ｂを押し、図５の左上のシミュレート画像コマ５１を選択するためには、”４”キー６１ｄを押し、図５の右上のシミュレート画像コマ５１を選択するためには”５”キー６１ｅを押せばよい。つまり、図５に示された４つのシミュレート画像コマ５１の配置と選択キーとしての”１”キー６１ａ、”２”キー６１ｂ、”４”キー６１ｄ、”５”キー６１ｅの配置が一致しているので、選択作業がスムーズとなる。図５で示す６コマ表示パターンの場合は、”１”キー６１ａ、”２”キー６１ｂ、”３”キー６１ｃ、”４”キー６１ｄ、”５”キー６１ｅ、”６”キー６１ｆのＬＥＤ６４が点灯し、これらのキーだけがモニター５０に表示されている６つのシミュレート画像コマ５１を選択するために用いられることが示される。この場合も、４コマ表示パターン時と同様、モニター５０に表示された６つのシミュレート画像コマ５１の配置とこれに対応する選択キーの配置を一致させている。メニュ方式で４コマ表示パターン又は６コマ表示パターンへの切り換え時における、シミュレート画像コマ５１を選択するために用いられるキーのＬＥＤ６４の点灯はキーボード制御ユニット８０に備えられている選択キー制御手段８１によって行われる。
【００２７】
多数表示パターンと呼ばれている２８コマ表示パターンや４０コマ表示パターンでは、モニター５０に表示されているシミュレート画像コマ５１をテンキーでは１：１で対応することは不可能なため、テンキーでコマ番号を入力した後特定のキーで確定する方法が用いられる。例えば、コマ番号が１３のシミュレート画像コマ５１を選択するためには、まず”１”キー６１ａと”３”キー６１ｃを押した後、テンキーの右隣りに配置された”ＹＥＳ”キー６５を押すことで１３の入力を確定する。これにより、コントローラ４０は１３のコマ番号をもつシミュレート画像コマ５１が選択されたことを認識する。
【００２８】
テンキーは上述したシミュレート画像コマ５１の選択キー以外に種々のデータ入力のために用いられる。例えば、”ＳＨＩＦＴ”キー６３を押すことにより、ＬＥＤ６４は消灯され、各テンキーは機能キーとして所定の働きを行う。又、キーボード６０の左側領域に配置された”ＲＥＰＴ”キー６６を押すことにより、ＬＥＤ６４は消灯され、各テンキーは単なる数字キーとして機能する。つまり、”ＳＨＩＦＴ”キー６３や”ＲＥＰＴ”キー６６は、テンキーに割り当てられたコマ画像選択機能を解消する割り当て解消キーとして機能する。また、シミュレート画像コマ５１の選択のために、従来通りの１シミュレート画像コマ毎のカーソル５４の移動を行うそれぞれ異なる方向を入力する４つの矢印キー６７もキーボード６０の中央下側領域に配置されている。選択されたシミュレート画像コマ５１に対して、テンキーを用いた焼付枚数の入力のほか、露光条件の補正入力も行われるが、この目的のために、テンキーの上側にそれぞれＹ、Ｍ、Ｃの各色を特定する”Ｙ”キー、”Ｍ”キー、”Ｃ”キーからなる色特定キー６８が配置されており、補正値のディクリメントのための”−１”キー６９ａと補正値のインクリメントのための”＋１”キー６９ｂがキーボード６０の左側領域に配置されている。”ＳＴＡＲＴ”キー６０１は、モニター５０に表示されたシミュレート画像コマ５１の更新処理や、補正要否チェックの完了したフィルム２に対する焼付処理への移行のために用いられる。
【００２９】
次に、図１０と図１１のフローチャートを用いて、マニュアル処理モードにおけるシミュレート画像コマ５１の判定作業時の手順を説明する。なお、図１０では、この写真処理装置１における制御プログラムの内、本発明に関連する制御プログラムとして、スキャニングルーチンと、シミュレート画像ルーチンと、モニター表示ルーチンと焼付ルーチンが挙げられるが、主にモニター表示ルーチンについて説明する。図１１は、モニター表示ルーチンで用いられる表示サブルーチンを示すフローチャートである。
【００３０】
まず、スキャニングルーチンによる制御に基づいて、１オーダのネガフィルム２の全画像コマがフィルム読取装置２１で読み取られ、その画像データはコントローラ５に送られる。コントローラ５に送られた画像データは、シミュレート画像生成ルーチンによる制御に基づいて、１オーダのシミュレート画像コマ５１が生成され（＃１００）、その際フラグＩＭＧ＿ＯＫに”１”がセットされるとともに、生成されたシミュレート画像コマ５１の枚数が変数ＮＵＭに代入される。なお、このフラグＩＭＧ＿ＯＫと変数ＮＵＭは、グローバルな変数であり、次に説明するモニター表示ルーチンにおいても利用される。
【００３１】
モニター表示ルーチンでは、まず最初にプリントメニュがモニター画面に表示される（＃２）。プリントメニュはオペレータに対して焼付処理に関する処理状況の表示や種々の操作コマンドの受け入れを可能とするものであり、通常、シミュレート画像コマ５１が表示されていない場合に表示されている。しかしながら、もしフラグＩＭＧ＿ＯＫに”１”がセットされているならば（＃４）、１オーダ分のシミュレート画像コマ５１の表示準備が完了しているとして、１オーダ分のシミュレート画像コマ５１を表示するための初期設定を行う（＃６）。この初期設定では、現在選択されている多数コマ表示パターンを確認し、例えば、４コマ表示パターンであれば、変数Ｎに４を代入し、６コマ表示パターンであれば変数Ｎに６を代入する。さらに、オーダの最初のシミュレート画像コマ５１が表示されているモニター画面の自動画面表示替えまでの時間としての第１画面切り替え時間が３秒ならば、変数Ｔ１  に３を代入し、それ以外のモニター画面の自動画面表示替えまでの時間としての第２画面切り替え時間が２秒ならばＴ２  に２を代入する。通常オーダ替え時には長い目に時間がほしいので、Ｔ１  はＴ２  より大きくすることが望ましいが、同じ時間にしてもよい。次いで、フラグＩＭＧ＿ＯＫは”０”に戻しておき、変数ＮＵＭの値を変数Ｓに代入し、変数Ｎの値も変数ｎに代入しておく。
【００３２】
初期設定が終了すると、ブザー８５が鳴らされ（＃８）、オーダの最初のシミュレート画像コマ５１が表示されることをオペレータに報知する。これにより、シミュレート画像コマ５１の表示がスタートし、まず１番目からＮ（＝６）番目のシミュレート画像コマ５１が６コマ表示パターンでモニター５０に表示され（＃１０）、変数Ｔ１  の値、ここでは３秒がタイムアップ変数であるＴに代入され、図１１の表示サブルーチンに進む（＃１４）。表示サブルーチンでは、タイマー５ｆをスタートさせ（＃１４２）、オペレータがキーボード６０から何らかのキー入力を行ったかどうかがチェックされる（＃１４４）が、このキー入力チェックはタイマー４６がタイムアップするまで行われる（＃１４６）。このケースでは、シミュレート画像コマ５１の表示後、オペレータが３秒間キー入力しなければ、表示されたシミュレート画像コマ５１はオペレータによって承認されたものとみなされ、この表示サブルーチンを終える。キー入力のチェック（＃１４４）のステップにおいて、何らかのキー入力があった場合、操作されたキーに基づく露光条件補正などの処理を行う（＃１４８）。キー入力による所望の処理を終えると、”ＳＴＡＲＴ”キー６０１を押すことによってこのキー入力処理から抜け出し（＃１５０）、モニター表示ルーチンに戻る。
【００３３】
変数ｎと変数Ｓが比較され（＃１６）、つまりこのオーダのシミュレート画像コマ５１の枚数が最初の表示画像コマ枚数である６より大きければ、次のシミュレート画像コマ５１の表示を行う。すなわち、ｎ番目から（ｎ＋Ｎー１）番目つまり（ｎ＋５）番目までのシミュレート画像コマ５１が６コマ表示パターンでモニター５０に表示され（＃１８）、変数Ｔ２  の値、ここでは２秒がタイムアップ変数であるＴに代入され、図１１の表示サブルーチンに進む（＃２２）。この表示サブルーチンの処理は前述した通りであるが、タイムアップ時間として２秒が設定されていることだけが異なる。表示サブルーチンから戻ってくると、変数ｎに（ｎ＋Ｎ）が代入され（＃２４）、その変数ｎと変数Ｓが比較され（＃２６）、つまりこのオーダでまだ表示されていないシミュレート画像コマ５１が残っておれば、Ｎｏ分岐して、残りのシミュレート画像コマ５１の表示を行うために＃１８にジャンプする。このオーダでまだ表示されていないシミュレート画像コマ５１が残っていなければ、このオーダ分のシミュレート画像コマ５１の表示は終了したとして＃２６でＹｅｓ分岐する。このオーダ分のシミュレート画像コマ５１の表示は終了すると、次のオーダのシミュレート画像コマ５１の準備ができているかを確認するため、フラグＩＭＧ＿ＯＫの状態をチェックする（＃２８）。次のオーダのシミュレート画像コマ５１の準備ができているとシミュレート画像生成ルーチンの＃１００でフラグＩＭＧ＿ＯＫは”１”に設定されているので、ここでＹｅｓ分岐して、次のオーダのシミュレート画像コマ５１を表示するため＃６にジャンプし、初期設定後、ブザー８５が鳴らされる（＃８）。次のオーダのシミュレート画像コマ５１の準備ができていないとフラグＩＭＧ＿ＯＫは”０”に設定されているので、ここでＮｏ分岐して、プリントメニュを表示する（＃３０）。このプリントメニュは、再度モニター表示ルーチンが呼ばれて、＃４でＹｅｓ分岐するまでは、維持される。次のオーダのシミュレート画像コマ５１の準備ができると、＃４でＹｅｓ分岐して、初期設定後、ブザー８５が鳴らされ（＃８）、次のオーダのシミュレート画像コマ５１の表示が始まる。  画像コマの焼付処理は、１オーダのフィルム２の全画像コマの判定が完了してから焼付処理ルーチンに基づく制御により順次行われるが、判定が完了してシミュレート画像コマ５１がモニター５０から消えたタイミングで、フィルム２を搬送し、順次判定済みの画像コマを印画紙３に焼き付けてもよい。
【００３４】
ここで重要なことは、いずれにしても、オーダ替わりの最初のシミュレート画像コマ５１の表示の際にブザー８５が鳴らされ、オペレータにその旨報知されることである。なお、この実施の形態では、オペレータへのオーダ替わりの表示を報知する報知デバイスとしてブザー８５を用いたが、これに代えて例えば、オペレータの注意を喚起する光を出すランプ等の発光体を用いてもよく、オペレータの注意を喚起するものであれば何でもよい。その際、図１０のフローチャートにおいて＃８のブザー報知がランプ点灯等に変更するだけでよい。
ここで述べた実施の形態では、多数コマ表示パターンを例示的に示すため、４コマ表示パターンや６コマ表示パターンを採用したが、その他の表示パターンを用いたり、選択キーとしてテンキー以外のキーを用いることも可能である。
【図面の簡単な説明】
【図１】本発明の画像コマ選択装置を採用した写真焼付装置の斜視図
【図２】ネガフィルムと印画紙の流れを示す図１による写真処理装置の模式図
【図３】図１による写真処理装置のブロック図
【図４】コントローラのブロック構成図
【図５】４コマ表示パターンでのモニター表示を示す例示図
【図６】６コマ表示パターンでのモニター表示を示す例示図
【図７】２８コマ表示パターンでのモニター表示を示す例示図
【図８】多数コマ表示パターンにおけるデータ表示領域を示す例示図
【図９】キーボードの平面図
【図１０】シミュレート画像コマの表示に関するルーチンを示すフローチャート
【図１１】表示サブルーチンを示すフローチャート
【符号の説明】
２    写真フィルム
３    印画紙
５    コントローラ
５ｆ  タイマー
２０    露光部
５０    モニター
５１    シミュレート画像コマ
６０    キーボード
８０    キーボード制御ユニット
８５    ブザー
【図１】
0003555674.tif 000002
【図２】
0003555674.tif 000003
【図３】
0003555674.tif 000004
【図４】
0003555674.tif 000005
【図５】
0003555674.tif 000006
【図６】
0003555674.tif 000007
【図７】
0003555674.tif 000008
【図８】
0003555674.tif 000009
【図９】
0003555674.tif 000010
【図１０】
0003555674.tif 000011
【図１１】
0003555674.tif 000012